(57)【要約】【課題】  ポケット等に装着しやすく、簡単に脱落しにくい筆記具等に用いられるクリップを提供する。【解決手段】  クリップ（３）は、軸筒（２）との間に差込空間（５）を形成するよう基端（９）側を軸筒（２）に固定したクリップ本体（６）と、上記差込空間（５）に挿入されたポケットやノート等に圧接する圧接子（７）を有する。圧接子（７）の頂部（８）からクリップ本体（６）の基端（９）側の内面には、２色成形若しくはインサート成形の要領により同時成形で滑り止めとなる軟質部（１０）が設けられている。上記圧接子（７）の頂部（８）とクリップ本体（６）の先端（１１）側は、クリップ本体（６）の硬質の基質部（１２）が露出しており、滑りやすい。【選択図】      図１
2005041101.tif 000002
【特許請求の範囲】
【請求項１】
被保持体との間に差込空間を形成するよう基端側を被保持体に固定したクリップ本体と上記差込空間に挿入された被挟着物に圧接するようクリップ本体の内面若しくは被保持体の外面に形成された圧接子を有するクリップにおいて、上記圧接子からクリップ本体の先端側のクリップ本体を露出し該圧接子からクリップ本体の基端側の差込空間の内面に滑り止めとなる軟質部を形成したことを特徴とするクリップ。
【請求項２】
上記圧接子は略山形状に形成され、該略山形状の頂部からクリップ本体の基端側の内面にわたって上記軟質部が設けられている請求項１に記載のクリップ。
【請求項３】
上記軟質部は硬質の基質部の表面に２色成形若しくはインサート成形の要領で同時成形により設けられている請求項１または２に記載のクリップ。
【発明の詳細な説明】
【技術分野】
【０００１】
本発明は筆記具、化粧用具等の軸筒やキャップに設けられるクリップに関するものである。
【背景技術】
【０００２】
筆記具等に設けられるクリップは、軸筒やキャップ等の被保持体に基端が固定されるクリップ本体とポケット等の被挟着物に圧接されるよう該クリップ本体の内方に形成された圧接子を有し、プラスチック材料や金属材料で作られている。プラスチック材料で作られたクリップは、金属材料製のクリップほど強い押し付け力を生じさせることができないので、ポケットに収納したり、ノートに差し込んだときに、はずれて落下してしまうことがある。そのため、圧接子を柔軟性ゴム片で形成したクリップも知られているが（例えば、特許文献１参照）、ゴム片は抵抗が大きいのでポケット等に差し込むときに簡単に挿入することができない。また、金属材料製のクリップ本体の先端に、別体に作ったプラスチック材料製の圧接子を取り付けたクリップも種々知られているが（例えば、特許文献２参照）、製造が面倒な上に、押し付け力が大きすぎると、ポケット等に簡単に差し込むことができなくなる。
【特許文献１】登録実用新案第３０１２４４３号公報（０００９項、図１）
【特許文献２】特開２００３−１７１２号公報（０００２項、図３〜図１４）
【発明の開示】
【発明が解決しようとする課題】
【０００３】
本発明の解決課題は、ポケット、ノート等の被挟着物に挿入しやすく、かつ抜け落ちにくいクリップを提供することであり、特にプラスチック材料により簡単に得られるようにした上記クリップを提供することである。
【課題を解決するための手段】
【０００４】
本発明によれば、被保持体との間に差込空間を形成するよう基端側を被保持体に固定したクリップ本体と上記差込空間に挿入された被挟着物に圧接するようクリップ本体の内面若しくは被保持体の外面に形成された圧接子を有するクリップにおいて、上記圧接子からクリップ本体の先端側のクリップ本体を露出し該圧接子からクリップ本体の基端側の差込空間の内面に滑り止めとなる軟質部を形成したことを特徴とするクリップが提供され、また上記軟質部を硬質の基質部の表面に２色成形若しくはインサート成形の要領で同時成形した上記クリップが提供され、上記課題が解決される。
【発明の効果】
【０００５】
本発明のクリップは、クリップ本体の先端側のクリップ本体の内面や圧接子の表面には軟質部を設けずに該圧接子とクリップ本体の基端側の差込空間の内面に滑り止めとなる軟質部を形成したから、プラスチック材料等で作られたクリップ本体の基質部が先端側では露出しており、滑りを生じやすい。そのため、ポケットやノート等の被挟着物に差し込む際、容易に圧接子を通過させることができるので装着しやすい。そして、ポケット等に差し込んだ状態では、上記被挟着物が差込空間内の軟質部に挟着されており、抵抗があって滑りにくいから、従来のクリップに比べて脱落しにくくできる。その上、上記軟質部を２色成形若しくはインサート成形の要領により同時成形することにより、製造が簡単でかつ該軟質部を剥落しにくくでき、長く使用することができる。
【発明を実施するための最良の形態】
【０００６】
図１には、シャープペンシル、ボールペン等の筆記具（１）を被保持体とし、該筆記具（１）の軸筒（２）に取り付けたクリップ（３）が示されている。該クリップ（３）は、取付部（４）を介して軸筒（２）に固定され該軸筒（２）の外面との間に差込空間（５）を形成するクリップ本体（６）と、ポケット、ノートその他の被挟着物（図示略）に圧接するようクリップ本体（６）の内面に形成された圧接子（７）を有し、プラスチック材料で作られている。なお、公知のように、クリップ本体（６）の取付部は種々の構造に形成することができ、また軸筒やキャップ等と一体成形することもできる。
【０００７】
上記圧接子（７）は、略山形状に弧状に突出する形状に形成され、該略山形状の頂部（８）からクリップ本体（６）の基端（９）側の内面にわたって滑り止めとなる軟質部（１０）が形成されている。なお、該軟質部（１０）は、図１に示す実施例では、クリップ本体（６）の先端（１１）側の内面は基質部（１２）が露出され、該先端（１１）を除いた該クリップ本体の全面に形成してあるが、図２に示すように差込空間に面するクリップ本体の内面にのみ設けるようにしたり、該軟質部（１０）に対向する軸筒（２）の外面にも軟質部を形成することができる（図示略）。
【０００８】
上記軟質部（１０）は、上記クリップ本体（６）の硬質の基質部（１２）の表面に２色成形またはインサート成形の要領により同時成形するとよい。基質部（１２）の材質としては、プラスチック材料が好ましいが、金属材料で形成してもよく、上記軟質部（１０）の材質としてはゴム材料や軟質プラスチック材料を用いることができるが、好ましくは
基質部のプラスチック材料と融着性のよい適宜のエラストマー樹脂等が選定される。
【０００９】
図３は他の実施例を示し、圧接子（７）を軸筒（２）の外面に突設し、該圧接子（７）の頂部（８）とクリップ本体（６）の内面間で被挟着物を圧着するようにし、該頂部（８）とクリップ本体（６）の基端（９）側の差込空間の内面に滑り止めとなる軟質部（１０）を設けてある。なお、該軟質部（１０）は、図４に示すように圧接子（７）の頂部（８）から軸筒（２）の外面にわたって設けることもできる。
【００１０】
上記の構成により、クリップ本体（６）の先端（１１）側は硬質の基質部（１２）が露出しているので、ポケット、ノート等の被挟着物に容易に差し込むことができる。差込後は、差込空間内の軟質部（１０）に被挟着物が圧着しているので、滑りにくく、抵抗を生じ、簡単に脱落するおそれは少ない。
【図面の簡単な説明】
【００１１】
【図１】本発明の一実施例を示し、クリップ本体部分を断面して示す側面図。
【図２】他の実施例を示す説明図。
【図３】さらに他の実施例を示す説明図。
【図４】他の実施例を示す説明図。
【符号の説明】
【００１２】
１    筆記具
２    軸筒
３    クリップ
４    取付部
５    差込空間
６    クリップ本体
７    圧接子
８    頂部
９    基端
１０    軟質部
１１    先端
１２    基質部
【図１】
2005041101.tif 000003
【図２】
2005041101.tif 000004
【図３】
2005041101.tif 000005
【図４】
2005041101.tif 000006